(57)【要約】【課題】カメラ鏡筒部の回転の影響で、カメラ鏡筒部とスクリーンとの間に配置される防塵用のクッションにねじれが生じる問題を解消する。【解決手段】筐体８０の、カメラ１０のレンズ前面に対応する部分は、透明なスクリーン６０で構成されている。スクリーン６０と、カメラ１０の鏡筒部１２との間には、リング状のプレート３０が回転可能に支持されている。さらに、プレート３０と鏡筒部１２との間には、発泡材等の弾性材料にてリング状に形成された防塵用クッション２０が配置されている。筐体８０の側面には、ユーザが焦点を切り替えるためのスイッチ４０がスライド自在に設けられている。スイッチ４０にはＵ字形のアーム部４１が形成されており、アーム部４１はプレート３０のレバー３１と鏡筒部１２のレバー１１の両方と係合している。【選択図】図２
2007286084.tif 000002
【特許請求の範囲】
【請求項１】
筐体と、該筐体内に固定され、回転可能な鏡筒部を持つカメラと、前記筐体における前記カメラの前面に対向する部位に設けられた透明なスクリーンと、前記鏡筒部と前記筐体もしくは前記スクリーンとの間に配置された、前記鏡筒部内への塵埃の侵入を防止する弾性部材と、を備えたカメラ一体型携帯端末機器において、
前記弾性部材を前記鏡筒部の回転に追従させる機構をさらに備えたことを特徴とするカメラ一体型携帯端末機器。
【請求項２】
筐体と、該筐体内に固定され、回転可能な鏡筒部を持つカメラと、前記筐体における前記カメラの前面に対向する部位に設けられた透明なスクリーンと、前記鏡筒部と前記筐体もしくは前記スクリーンとの間に配置された、前記鏡筒部内への塵埃の侵入を防止する弾性部材と、を備えたカメラ一体型携帯端末機器において、
前記筐体における前記カメラの前面に対向する面に回転自在に保持され、かつ前記弾性部材が固定されたプレートと、
前記プレートに設けられたレバーと、
前記鏡筒部に設けられたレバーと、
前記プレート及び前記鏡筒部の両レバーと係合し、前記プレート及び前記鏡筒部を同時に回転操作するスイッチと、
を備えたことを特徴とするカメラ一体型携帯端末機器。
【請求項３】
筐体と、該筐体内に固定され、回転可能な鏡筒部を持つカメラと、前記筐体における前記カメラの前面に対向する部位に設けられた透明なスクリーンと、前記鏡筒部と前記筐体もしくは前記スクリーンとの間に配置された、前記鏡筒部内への塵埃の侵入を防止する弾性部材と、を備えたカメラ一体型携帯端末機器において、
前記弾性部材が固定され、前記スクリーンを回転自在に保持するプレートと、
前記鏡筒部に設けられたレバーと、
前記プレートより前記筐体内部に延び、前記レバーと係合するアーム部と、
前記プレートに設けられた、前記プレートを回転操作するための突起と、
を備えたことを特徴とするカメラ一体型携帯端末機器。
【発明の詳細な説明】
【技術分野】
【０００１】
本発明は、携帯電話機、PDA（Personal Digital Assistants）などの携帯端末機器に一体に備えられたカメラユニットの防塵構造に関する。
【背景技術】
【０００２】
近年、携帯電話機にはカメラユニットが一体に備えられた物が主流となっている。このような携帯電話機のカメラユニットは、通常撮影と近接撮影（マクロ撮影）の焦点切換えが可能となっているものが多い（特許文献１参照）。
【０００３】
この焦点切換え方式としては、カメラユニットに取り付けられたレバーにより、レンズが備わった鏡筒部分を動かすことによって焦点を切り換える構造が多い。
【０００４】
また、カメラ一体型の携帯電話機では、ケース（筐体）内に固定されたカメラのレンズを保護するため、カメラの前面部（ケース部）には透明のスクリーンが設けられている。また、レンズが備わる鏡筒部とスクリーンとの間には、鏡筒部内への塵埃等の侵入を防止するため、クッションなどを配置した防塵構造をとることが一般的である（特許文献２参照）。
【特許文献１】特開2005-283894号公報（図１、図３参照）
【特許文献２】特開2004-200944号公報
【発明の開示】
【発明が解決しようとする課題】
【０００５】
上記従来の焦点切替え方式においてカメラによっては、レバーの動きに合わせてカメラ鏡筒部が回転するものがある。このようなカメラの場合、カメラ鏡筒部と、ケースに固定されレンズを保護するスクリーンとの間に、あるいはカメラ鏡筒部とケースとの間に防塵用のクッションを配置すると、焦点切換えのたびに上記クッションがねじれてしまい、クッションの破損によるゴミの発生等の問題があった。
【０００６】
本発明の目的は、上記従来技術の問題点に鑑み、カメラ鏡筒部の回転の影響で防塵用のクッションにねじれが生じる問題を解消することにある。
【課題を解決するための手段】
【０００７】
本発明のカメラ一体型携帯端末機器は、筐体内に固定されたカメラと、筐体におけるカメラの前面に対向する部位に設けられた透明なスクリーンと、鏡筒部と筐体もしくはスクリーンとの間に配置された弾性部材と、を備えたものである。そして、上記カメラは、回転可能な鏡筒部を持ち、上記弾性部材は鏡筒部内への塵埃の侵入を防止するものである。このような構成に対し、弾性部材を鏡筒部の回転に追従させる機構をさらに備えることで、上記の課題を解決することができる。
【０００８】
上記の機構としては、プレートが、筐体におけるカメラの前面に対向する面に回転自在に保持されている。このプレートには上記弾性部材が固定される。また、プレートにはレバーが設けられている。鏡筒部にもレバーが設けられている。そして、スイッチがプレート及び鏡筒部の両レバーと係合していることにより、スイッチの移動によりプレート及び前記鏡筒部を同時に回転操作することが可能になる。
【０００９】
このような構成の他には、スクリーンを回転自在に保持するプレートが、筐体におけるカメラの前面に対向する部位に設けられている。スクリーンもしくはプレートに上記弾性部材が固定される。また、鏡筒部にはレバーが設けられている。プレートよりアーム部が筐体内部に延び、当該レバーと係合している。そして、プレートを回転操作するための突起が、プレートに設けられている。したがって、突起を用いてプレートを回転させると、鏡筒部とともに弾性部材も回転させることが可能である。
【発明の効果】
【００１０】
本発明によれば、カメラユニットを一体に備えた携帯端末機器において、カメラの焦点切換えなどに伴ってカメラ鏡筒部が回転したときに防塵用のクッションである弾性部材の破損を引き起こさない防塵構造を提供することができる。
【発明を実施するための最良の形態】
【００１１】
以下、本発明の実施の形態について図面を参照して説明する。
【００１２】
図１は本発明の第一の実施形態によるカメラ一体型の携帯電話機の分解斜視図である。図２は本実施形態のカメラ防塵構造を示す断面図である。
【００１３】
図１及び図２を参照すると、本実施形態の携帯電話機は、操作キー及び表示部などが設けられる筐体９０と、バッテリ及びアンテナなどが設けられる筐体８０とで外殻を成す。組み合わせた筐体８０，９０間には、電気回路を構成するプリント配線基板７０が固定されている。プリント配線基板７０の筐体８０側の面には、ホルダ５０を用いてカメラ１０が固定されている。カメラ１０は、不図示のレンズを保持する鏡筒部１２と、鏡筒部１２に取り付けられたレバー１１とを有し、レバー１１を動かして鏡筒部１２を回転させることでレンズ間距離が変わり撮影対象に対する焦点が切り替えられる機構を構成している。
【００１４】
筐体８０の、カメラ１０のレンズ前面に対応する部分が開口され、この開口部に透明な円盤形スクリーン６０が固定されている。そして、筐体８０の内側面における上記の開口部の周縁に、リング状のプレート３０が回転可能にはめ込まれ、かつ、筐体８０に形成されたフック８１により保持されている。プレート３０の外周の一部にレバー３１が突設されている。
【００１５】
プレート３０と、カメラ１０の鏡筒部１２との間には、発泡材等の弾性材料にてリング状に形成された防塵用クッション（弾性部材）２０が配置されている。このクッション２０は、プレート３０に両面接着テープ等により接着固定されている。
【００１６】
筐体８０の側面には、ユーザがカメラ１０のレンズ焦点を切り替えるためのスイッチ４０がスライド自在に設けられている。スイッチ４０にはＵ字型のアーム部４１が形成されており、アーム部４１はプレート３０のレバー３１と鏡筒部１２のレバー１１の両方と係合している。
【００１７】
次に、図３、図４を用いて動作の説明をする。
【００１８】
上述したとおり、スイッチ４０に設けられたＵ字型のアーム部４１には、カメラ１０のレバー１１とプレート３０のレバー３１が係合している。このため、スイッチ４０をスライドさせたとき、スイッチ４０のアーム部４１が鏡筒部１２のレバー１１とプレート３０のレバー３１に作用する。その際、スイッチ操作方向に応じて鏡筒部１２が回転し、カメラレンズの焦点位置が切り替わると同時に、プレート３０及び防塵用クッション２０も鏡筒部１２の回転と同期して動く（図４参照）。
【００１９】
以上のようにユーザ等がスイッチ４０を操作することによりカメラ１０の鏡筒部１２とプレート３０が同時に回転するため、クッション２０と鏡筒部１２の動きが同期し、クッションのねじれが発生しない安定したカメラ部の防塵構造を提供することができる。
【００２０】
次に、他の実施形態について述べる。
【００２１】
図５は本発明の第二の実施形態によるカメラ一体型の携帯電話機の分解斜視図である。図６は第二の実施形態のカメラ防塵構造を示す断面図である。これらの図において第一の実施形態と同一の構成要素には同一符号を付してある。
【００２２】
本形態の携帯電話機は、筐体９０と筐体８０の組み合わせで外殻を成す。組み合わせた筐体８０，９０間にはプリント配線基板７０が固定されている。プリント配線基板７０の筐体８０側の面に、ホルダ５０を用いてカメラ１０が固定されている。カメラ１０は、レバー１１を動かして鏡筒部１２を回転させることでレンズ間距離が変わり撮影対象に対する焦点が切り替えられる機構を構成している。ここまで説明した構成は第一の実施形態と同じである。以下、異なる構成を説明する。
【００２３】
筐体８０の、カメラ１０のレンズ前面に対応する部分に開口部が形成されている。筐体８０の外側面における上記開口部の周縁に、リング状のプレート１００が回転可能にはめ込まれ、かつフック１０２で保持されている。このプレート１００の筐体８０側の面には、プレート１００中央の孔を塞ぐように透明な円盤形スクリーン６０が両面接着テープ等により接着固定されている。さらに、プレート１００には、筐体８０を貫通して筐体９０側に延びるアーム部１０３が形成されており、アーム部１０３先端のＵ字状部分が、鏡筒部１２のレバー１１と係合している。そして、プレート１００の外周の一部には、ユーザがカメラ１０の焦点切替えを行う為の突起１０１が形成されている。
【００２４】
なお、図５に示すように筐体８０には、プレート１００のフック１０２と係合する孔８１や、プレート１００のアーム部１０３が挿入される孔８２が形成されている。そして、これらの孔８１，８２は、プレート１００の回転を妨げないようにフック１０２及びアーム部１０３が動ける形状になっている。
【００２５】
次に、本実施形態の作用を説明する。
【００２６】
上述したとおり、プレート１００に設けられたＵ字型のアーム部１０３は、カメラ１０のレバー１１と係合している。このため、ユーザ等がプレート１００の突起１０１を利用してプレート１００を回転摺動させたとき、アーム部１０３が鏡筒部１２のレバー１１に作用する。その際、プレート１００の回転操作方向に応じて鏡筒部１２が回転し、カメラレンズの焦点位置が切り替わると同時に、プレート１００に固定された防塵用クッション２０も鏡筒部１２の回転と同期して動く。
【００２７】
以上のようにユーザ等がプレート１００の突起１０１を操作することにより、第一の実施形態と同様にカメラ１０の鏡筒部１２とプレート３０が同時に回転するため、クッション２０と鏡筒部１２の動きが同期し、クッションのねじれが発生しない安定したカメラ部の防塵構造を提供することができる。
【００２８】
以上、本発明の二つの実施形態を例に挙げて説明したが、本発明は上記の実施形態に限定されるものではなく、発明の要旨を逸脱しない範囲でさらに多くの改変を施しえるのは言うまでも無いことである。また、本発明のカメラ部防塵構造は、カメラ一体型携帯電話機にのみ適用可能ではなく、ＰＤＡなどの様々な携帯端末機器に備わるカメラ部に適用することが可能である。さらに、本発明は、焦点切替えの為だけでなく何らかの目的で鏡筒部が回転するカメラを備えた機器全てに適用できる。
【図面の簡単な説明】
【００２９】
【図１】本発明の第一の実施形態によるカメラ一体型の携帯電話機の分解斜視図である。
【図２】本発明の第一の実施形態のカメラ防塵構造を示す断面図である。
【図３】図２に示したカメラ鏡筒部と、防塵用クッションを有するプレートと、スイッチとの関係を示す斜視図である。
【図４】第一の実施形態のスイッチ操作に応じたカメラ鏡筒部の動きと防塵用クッションを有するプレートの動きを示す上面図である。
【図５】本発明の第二の実施形態によるカメラ一体型の携帯電話機の分解斜視図である。
【図６】本発明の第二の実施形態のカメラ防塵構造を示す断面図である。
【符号の説明】
【００３０】
１０      カメラ
１１      レバー
１２      鏡筒部
２０      防塵用クッション
３０      プレート
３１      レバー
４０      スイッチ
４１      アーム部
５０      ホルダ
６０      スクリーン
７０      プリント配線基板
８０，９０      筐体
１００      プレート
１０１      突起
１０２      フック
１０３      アーム部
【図１】
2007286084.tif 000003
【図２】
2007286084.tif 000004
【図３】
2007286084.tif 000005
【図４】
2007286084.tif 000006
【図５】
2007286084.tif 000007
【図６】
2007286084.tif 000008